(57)【要約】【課題】容易に開口領域の態様を変化させることができるゲーム装置を提供すること。【解決手段】第１スライド操作部７０と第１スライド制御部５２、５４とは、第１スライド操作部７０が第１状態に変化すると、第１スライド制御部５２、５４がスライド規制状態に変化し、第１スライド操作部７０が第２状態に変化すると、第１スライド制御部５２、５４がスライド許可状態に変化するように連結されている。【選択図】図６
2010188005.tif 000002
【特許請求の範囲】
【請求項１】
プレーヤが景品を取り出すことができる景品取出口と、
前記景品取出口に前記景品を誘導する景品誘導空間と、
前記景品誘導空間の上方で前記景品を維持する第１景品維持部と、
前記第１景品維持部を前記景品誘導空間の上方に支持する第１支持部と、
移動操作部からの操作情報に基づいて、前記第１景品維持部に維持されている前記景品を移動させる景品移動部と、
を備え、
前記第１支持部は、
前記第１景品維持部の一方側と他方側とにおいて前記第１景品維持部をスライド可能に支持し、
前記第１景品維持部は、
第１状態と第２状態との間で状態が変化可能かつ片手で操作可能な第１スライド操作部と、
前記第１景品維持部をスライド不可能に固定するスライド規制状態と前記第１景品維持部をスライド可能にするスライド許可状態との間で状態が変化する第１スライド制御部と、
を備え、
前記第１スライド制御部は、
前記スライド規制状態である場合に、前記一方側と前記他方側とにおいて前記第１景品維持部をスライド不可能に固定し、
前記第１スライド操作部と前記第１スライド制御部とは、
前記第１スライド操作部が前記第１状態に変化すると、前記第１スライド制御部が前記スライド規制状態に変化し、前記第１スライド操作部が前記第２状態に変化すると、前記第１スライド制御部が前記スライド許可状態に変化するように連結されていることを特徴とするゲーム装置。
【請求項２】
請求項１において、
前記第１支持部は、
前記景品誘導空間の外周に設けられていることを特徴とするゲーム装置。
【請求項３】
請求項１または２において、
前記第１スライド操作部は、
外力が加えられない場合に前記第１状態となり、外力が加えられる場合に前記第２状態となるように設けられていることを特徴とするゲーム装置。
【請求項４】
請求項１〜３のいずれかにおいて、
前記第１景品維持部は、
前記景品を載置する景品載置面を更に備え、
前記第１スライド操作部は、
前記景品載置面に設けられていることを特徴とするゲーム装置。
【請求項５】
請求項１〜４のいずれかにおいて、
前記第１スライド操作部は、
第１操作子と第２操作子とを備え、
前記第１状態では、前記第１操作子と前記第２操作子とが離隔し、前記第２状態では、前記第１操作子と前記第２操作子とが接近することを特徴とするゲーム装置。
【請求項６】
請求項１〜５のいずれかにおいて、
前記第１スライド制御部は、
前記一方側の第１スライド固定位置に向かって突出する突出状態と突出しない非突出状態との間で状態が変化する第１突出部と、
前記他方側の第２スライド固定位置に向かって突出する突出状態と突出しない非突出状態との間で状態が変化する第２突出部と、
を備え、
前記第１支持部は、
前記一方側の第１スライド固定位置において前記突出状態の前記第１突出部を受け入れ可能な複数の第１受入部と、
前記他方側の第２スライド固定位置において前記突出状態の前記第２突出部を受け入れ可能な複数の第２受入部と、
を備え、
前記第１突出部と前記第２突出部と前記第１スライド操作部とは、
前記第１スライド操作部が前記第１状態に変化すると、前記第１突出部および前記第２突出部が前記突出状態に変化し、前記第１スライド操作部が前記第２状態に変化すると、前記第１突出部および前記第２突出部が前記非突出状態に変化するように連結されていることを特徴とするゲーム装置。
【請求項７】
請求項１〜６のいずれかにおいて、
前記第１景品維持部は、
前記景品を維持する本体部と、
前記本体部を所定の軸回りに回転可能に支持する回転支持部と、
を備え、
前記本体部は、
第１状態と第２状態との間で状態が変化可能かつ片手で操作可能な回転操作部と、
前記本体部を回転不可能に固定する回転規制状態と前記本体部を回転可能にする回転許可状態との間で状態が変化する回転制御部と、
を備え、
前記回転支持部は、
前記本体部の一方側と他方側とにおいて前記本体部を回転可能に支持し、
前記回転制御部は、
前記回転規制状態である場合に、前記一方側と前記他方側とにおいて前記本体部を回転不可能に固定し、
前記回転操作部と前記回転制御部とは、
前記回転操作部が前記第１状態に変化すると、前記回転制御部が前記回転規制状態に変化し、前記回転操作部が前記第２状態に変化すると、前記回転制御部が前記回転許可状態に変化するように連結されていることを特徴とするゲーム装置。
【請求項８】
請求項１〜７のいずれかにおいて、
前記景品誘導空間の上方で前記景品を維持する第２景品維持部と、
前記第２景品維持部を前記景品誘導空間の上方かつ前記第１景品維持部よりも低い位置に支持する第２支持部と、
を更に備え、
前記第２支持部は、
前記第２景品維持部の一方側と他方側とにおいて前記第２景品維持部をスライド可能に支持し、
前記第２景品維持部は、
第１状態と第２状態との間で状態が変化可能かつ片手で操作可能な第２スライド操作部と、
前記第２景品維持部をスライド不可能に固定するスライド規制状態と前記第２景品維持部をスライド可能にするスライド許可状態との間で状態が変化する第２スライド制御部と、
を備え、
前記第２スライド制御部は、
前記スライド規制状態である場合に、前記一方側と前記他方側とにおいて前記第２景品維持部をスライド不可能に固定し、
前記第２スライド操作部と前記第２スライド制御部とは、
前記第２スライド操作部が前記第１状態に変化すると、前記第２スライド制御部が前記スライド規制状態に変化し、前記第２スライド操作部が前記第２状態に変化すると、前記第２スライド制御部が前記スライド許可状態に変化するように連結されていることを特徴とするゲーム装置。
【発明の詳細な説明】
【技術分野】
【０００１】
本発明は、ゲーム装置に関する。
【背景技術】
【０００２】
従来から、景品を保持する動作を行うことにより景品を移動させる景品移動部をプレーヤが操作し、筺体の内部の景品載置領域に載置された景品を開口領域に移動させるとプレーヤが景品を獲得することができる景品獲得ゲーム装置が知られている。そしてこのような景品獲得ゲーム装置には、景品載置領域を形成する景品載置部の取り付け位置を変更することにより開口領域のレイアウトが変化し、ゲーム性が変化するものが存在する（特許文献１）。
【先行技術文献】
【特許文献】
【０００３】
【特許文献１】特開２００５−２０５１６９号公報
【発明の概要】
【発明が解決しようとする課題】
【０００４】
かかる従来の景品獲得ゲーム装置では、開口領域のレイアウトを変化させるために景品載置部の取り付け位置を変更する必要があるため、景品載置部の取り外し、取り付けに要する作業が繁雑となっていた。
【０００５】
本発明は、このような事情に鑑みてなされたものであり、容易に開口領域の態様を変化させることができるゲーム装置を提供することを目的とする。
【課題を解決するための手段】
【０００６】
（１）本発明は、
プレーヤが景品を取り出すことができる景品取出口と、
前記景品取出口に前記景品を誘導する景品誘導空間と、
前記景品誘導空間の上方で前記景品を維持する第１景品維持部と、
前記第１景品維持部を前記景品誘導空間の上方に支持する第１支持部と、
移動操作部からの操作情報に基づいて、前記第１景品維持部に維持されている前記景品を移動させる景品移動部と、
を備え、
前記第１支持部は、
前記第１景品維持部の一方側と他方側とにおいて前記第１景品維持部をスライド可能に支持し、
前記第１景品維持部は、
第１状態と第２状態との間で状態が変化可能かつ片手で操作可能な第１スライド操作部と、
前記第１景品維持部をスライド不可能に固定するスライド規制状態と前記第１景品維持部をスライド可能にするスライド許可状態との間で状態が変化する第１スライド制御部と、
を備え、
前記第１スライド制御部は、
前記スライド規制状態である場合に、前記一方側と前記他方側とにおいて前記第１景品維持部をスライド不可能に固定し、
前記第１スライド操作部と前記第１スライド制御部とは、
前記第１スライド操作部が前記第１状態に変化すると、前記第１スライド制御部が前記スライド規制状態に変化し、前記第１スライド操作部が前記第２状態に変化すると、前記第１スライド制御部が前記スライド許可状態に変化するように連結されていることを特徴とするゲーム装置に関係する。
【０００７】
本発明では、第１景品維持部をスライドさせることにより、景品誘導空間の上方において第１景品維持部が景品を維持できる領域の態様を変化させることができる。そして本発明では、第１スライド制御部により、第１景品維持部の一方側と他方側とにおいて第１景品維持部をスライド不可能に安定的に固定しつつ、第１スライド操作部により、スライド規制状態とスライド許可状態の切り替え操作を片手で行うことができる。従って本発明では、一方側と他方側との距離が長い第１景品維持部を採用しても、第１スライド操作部の操作および第１景品維持部のスライド操作を容易に行うことができる。
【０００８】
（２）また本発明は、
前記第１支持部は、
前記景品誘導空間の外周に設けられているようにしてもよい。
【０００９】
このようにすれば、景品誘導空間が景品を誘導する際に、第１支持部が障害にならないようにすることができる。
【００１０】
（３）また本発明は、
前記第１スライド操作部は、
外力が加えられない場合に前記第１状態となり、外力が加えられる場合に前記第２状態となるように設けられているようにしてもよい。
【００１１】
このようにすれば、第１スライド操作部の操作を行わない場合に第１景品維持部を固定し、第１スライド操作部の操作を行う場合に第１景品維持部をスライドさせることができる。
【００１２】
（４）また本発明は、
前記第１景品維持部は、
前記景品を載置する景品載置面を更に備え、
前記第１スライド操作部は、
前記景品載置面に設けられているようにしてもよい。
【００１３】
このようにすれば、第１スライド操作部の操作および第１景品維持部のスライド操作をより容易に行うことができる。
【００１４】
（５）また本発明は、
前記第１スライド操作部は、
第１操作子と第２操作子とを備え、
前記第１状態では、前記第１操作子と前記第２操作子とが離隔し、前記第２状態では、前記第１操作子と前記第２操作子とが接近するようにしてもよい。
【００１５】
このようにすれば、第１操作子および第２操作子を片手でつまむようにすることにより第１スライド制御部がスライド許可状態となるので、片手で第１操作子および第２操作子をつまみつつ第１景品維持部をスライドさせることができる。
【００１６】
（６）また本発明は、
前記第１スライド制御部は、
前記一方側の第１スライド固定位置に向かって突出する突出状態と突出しない非突出状態との間で状態が変化する第１突出部と、
前記他方側の第２スライド固定位置に向かって突出する突出状態と突出しない非突出状態との間で状態が変化する第２突出部と、
を備え、
前記第１支持部は、
前記一方側の第１スライド固定位置において前記突出状態の前記第１突出部を受け入れ可能な複数の第１受入部と、
前記他方側の第２スライド固定位置において前記突出状態の前記第２突出部を受け入れ可能な複数の第２受入部と、
を備え、
前記第１突出部と前記第２突出部と前記第１スライド操作部とは、
前記第１スライド操作部が前記第１状態に変化すると、前記第１突出部および前記第２突出部が前記突出状態に変化し、前記第１スライド操作部が前記第２状態に変化すると、前記第１突出部および前記第２突出部が前記非突出状態に変化するように連結されているようにしてもよい。
【００１７】
このようにすれば、第１突出部が第１受入部に、第２突出部が第２受入部に受け入れられることにより、第１景品維持部の一方側と他方側とにおいて第１景品維持部をスライド不可能に安定的に固定することができる。
【００１８】
（７）また本発明は、
前記第１景品維持部は、
前記景品を維持する本体部と、
前記本体部を所定の軸回りに回転可能に支持する回転支持部と、
を備え、
前記本体部は、
第１状態と第２状態との間で状態が変化可能かつ片手で操作可能な回転操作部と、
前記本体部を回転不可能に固定する回転規制状態と前記本体部を回転可能にする回転許可状態との間で状態が変化する回転制御部と、
を備え、
前記回転支持部は、
前記本体部の一方側と他方側とにおいて前記本体部を回転可能に支持し、
前記回転制御部は、
前記回転規制状態である場合に、前記一方側と前記他方側とにおいて前記本体部を回転不可能に固定し、
前記回転操作部と前記回転制御部とは、
前記回転操作部が前記第１状態に変化すると、前記回転制御部が前記回転規制状態に変化し、前記回転操作部が前記第２状態に変化すると、前記回転制御部が前記回転許可状態に変化するように連結されているようにしてもよい。
【００１９】
このようにすれば、本体部を回転させることにより、景品誘導空間の上方において本体部が景品を維持できる領域の態様を変化させることができる。そして本発明では、回転制御部により、本体部の一方側と他方側とにおいて本体部を安定的に回転不可能に固定しつつ、回転操作部により、回転規制状態と回転許可状態の切り替え操作を片手で行うことができる。従って本発明では、一方側と他方側との距離が長い本体部を採用しても、回転操作部の操作および本体部の回転操作を容易に行うことができる。
【００２０】
（８）また本発明は、
前記景品誘導空間の上方で前記景品を維持する第２景品維持部と、
前記第２景品維持部を前記景品誘導空間の上方かつ前記第１景品維持部よりも低い位置に支持する第２支持部と、
を更に備え、
前記第２支持部は、
前記第２景品維持部の一方側と他方側とにおいて前記第２景品維持部をスライド可能に支持し、
前記第２景品維持部は、
第１状態と第２状態との間で状態が変化可能かつ片手で操作可能な第２スライド操作部と、
前記第２景品維持部をスライド不可能に固定するスライド規制状態と前記第２景品維持部をスライド可能にするスライド許可状態との間で状態が変化する第２スライド制御部と、
を備え、
前記第２スライド制御部は、
前記スライド規制状態である場合に、前記一方側と前記他方側とにおいて前記第２景品維持部をスライド不可能に固定し、
前記第２スライド操作部と前記第２スライド制御部とは、
前記第２スライド操作部が前記第１状態に変化すると、前記第２スライド制御部が前記スライド規制状態に変化し、前記第２スライド操作部が前記第２状態に変化すると、前記第２スライド制御部が前記スライド許可状態に変化するように連結されているようにしてもよい。
【００２１】
このようにすれば、第２景品維持部をスライドさせることにより、景品誘導空間の上方において第２景品維持部が景品を維持できる領域の態様を変化させることができる。そして本発明では、第２スライド制御部により、第２景品維持部の一方側と他方側とにおいて第２景品維持部を安定的にスライド不可能に固定しつつ、第２スライド操作部により、スライド規制状態とスライド許可状態の切り替え操作を片手で行うことができる。従って本発明では、一方側と他方側との距離が長い第２景品維持部を採用しても、第２スライド操作部の操作および第２景品維持部のスライド操作を容易に行うことができる。
【図面の簡単な説明】
【００２２】
【図１】本実施形態に係る景品獲得ゲーム装置の前面側から見た斜視図。
【図２】本実施形態に係る景品獲得ゲーム装置の各部を分解した状態を示す斜視図。
【図３】本実施形態に係る景品獲得ゲーム装置の一部の詳細を示す平面図。
【図４】本実施形態に係る景品獲得ゲーム装置の一部を前方から見た断面図。
【図５】本実施形態に係る景品獲得ゲーム装置の動作の説明図。
【図６】本実施形態に係る景品獲得ゲーム装置の一部の詳細を示す平面図。
【図７】本実施形態に係る景品獲得ゲーム装置の一部を後方から見た断面図。
【図８】本実施形態に係る景品獲得ゲーム装置の動作の説明図。
【図９】本実施形態に係る景品獲得ゲーム装置の動作の説明図。
【図１０】本実施形態に係る景品獲得ゲーム装置の動作の説明図。
【図１１】本実施形態に係る景品獲得ゲーム装置の動作の説明図。
【図１２】本実施形態に係る景品獲得ゲーム装置の一部の詳細を示す斜視図。
【図１３】本実施形態に係る景品獲得ゲーム装置の一部を側方から見た断面図。
【図１４】本実施形態に係る景品獲得ゲーム装置の動作の説明図。
【図１５】本実施形態に係る景品獲得ゲーム装置の動作の説明図。
【図１６】本実施形態に係る景品獲得ゲーム装置の動作の説明図。
【図１７】本実施形態に係る景品獲得ゲーム装置の動作の説明図。
【図１８】本実施形態に係る景品獲得ゲーム装置の動作の説明図。
【図１９】本実施形態に係る景品獲得ゲーム装置の動作の説明図。
【図２０】本実施形態に係る景品獲得ゲーム装置の一部の詳細を示す斜視図。
【図２１】本実施形態に係る景品獲得ゲーム装置の機能ブロック図。
【図２２】変形実施形態に係る景品獲得ゲーム装置の一部の詳細を示す平面図。
【図２３】変形実施形態に係る景品獲得ゲーム装置の動作の説明図。
【図２４】変形実施形態に係る景品獲得ゲーム装置の一部の詳細を示す斜視図。
【図２５】変形実施形態に係る景品獲得ゲーム装置の一部の詳細を示す平面図。
【図２６】変形実施形態に係る景品獲得ゲーム装置の一部の詳細を示す平面図。
【発明を実施するための形態】
【００２３】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００２４】
１．景品獲得ゲーム装置の概略構成
図１は、本実施形態の景品獲得ゲーム装置１０を前面側から見た斜視図である。本実施形態の景品獲得ゲーム装置１０（ゲーム装置の一例）は、プレーヤが景品保持部１２（景品移動部の一例）を操作して、景品獲得ゲーム装置１０の内部に載置された景品を獲得するゲームを行うものである。
【００２５】
図１に示すように本実施形態の景品獲得ゲーム装置１０の上部の側面と前面とは、透明板１４によって構成されており、プレーヤが景品獲得ゲーム装置１０の内部の状態を視認できるようになっているとともに、景品獲得ゲーム装置１０の内部を触れることができないようになっている。そして、景品獲得ゲーム装置１０の内部には、景品が載置される（景品が維持されることの一例）景品載置領域１６と、景品が落下する（景品が維持されないことの一例）開口領域１８とを含むゲーム空間２０が形成されている。ここで景品獲得ゲーム装置１０の上部の側面と前面とは、管理者等により開閉可能なスライドドアにより構成されており、管理者等がスライドドアを開けることにより、景品載置領域１６に景品を載置したり、景品載置領域１６の保守管理を行うなど、ゲーム空間２０に関する各種作業を行うことができるようになっている。
【００２６】
このゲーム空間２０の下方には、ゲーム空間２０の底面のほぼ全面に対応した範囲で上部が矩形状に開口された景品誘導空間２２が設けられており、この景品誘導空間２２は、プレーヤが景品を取り出すために景品獲得ゲーム装置１０の前面下部に設けられた景品取出口２４に連通している。そして景品誘導空間２２の底面は、景品取出口２４に向けて下るように傾斜する斜面２５として形成されており、景品誘導空間２２に落下した景品を景品取出口２４に誘導する。
【００２７】
そして景品誘導空間２２の上方には、景品を載置することができる景品載置面を有する矩形板状の第１景品載置部２６（第１景品維持部の一例）と第２景品載置部２７（第２景品維持部の一例）とが、その長手方向を横方向としてそれぞれの景品載置面を上方に向けた横状態で、景品誘導空間２２の上方を横断するように配置されている。本実施形態では第1景品載置部２６および第２景品載置部２７は、横幅が約１５００ｍｍ、縦幅が約２５０ｍｍ（横幅の約６分の１）、厚さが約３０ｍｍとなっている。
【００２８】
そして景品誘導空間２２の最上部の左側外周と右側外周とからは、上方に延びるように第１支持部２８が設けられており、第１景品載置部２６は、その左端部と右端部（長手方向の両端部、一方側と他方側の一例）において、第１支持部２８によって支持されている。また景品誘導空間２２の最上部の左側外周と右側外周とには、第２支持部３０が設けられており、第２景品載置部２７は、その左端と右端（長手方向の両端部、一方側と他方側の一例）において、第２支持部３０によって支持されている。
【００２９】
すなわち、第１支持部２８は、第１景品載置部２６を景品誘導空間２２の上方に支持し、第２支持部３０は、第２景品載置部２７を景品誘導空間２２の上方かつ第１景品載置部２６よりも低い位置に支持する。これにより第１景品載置部２６と第２景品維持部２７とは、景品誘導空間２２の上方で景品を維持している。そして本実施形態では、ゲーム空間２０のうち、第１景品載置部２６または第２景品載置部２７が配置された領域が、景品が載置される景品載置領域１６として機能し、第１景品載置部２６および第２景品載置部２７が配置されない領域が、景品が景品誘導空間２２に落下する開口領域１８として機能する。
【００３０】
一方、景品誘導空間２２の上方には、景品を移動させるための景品保持部１２が設けられている。この景品保持部１２は、景品獲得ゲーム装置１０の前面中央部に設けられた第１ボタン３２（移動操作部の一例）や第２ボタン３４（移動操作部の一例）などに対するプレーヤの操作入力（操作情報、操作信号）に基づいて、景品誘導空間２２の上方すなわちゲーム空間２０を図中の前後左右上下に移動する。また景品保持部１２は、景品保持部１２に設けられた第１動作部３６および第２動作部３７を閉じる保持動作を行うことにより景品を保持し、第１動作部３６および第２動作部３７を開く開放動作を行うことにより保持した景品を開放する。すなわち景品保持部１２は、移動動作、保持動作、開放動作を行うことにより、景品載置領域１６に載置された景品を移動させる。
【００３１】
特に本実施形態では、景品保持部１２は、ゲーム空間２０の上部の手前左側の隅を初期位置として第１動作部３６および第２動作部３７を開いた状態で待機しており、プレーヤが第１ボタン３２を押下すると第１ボタン３２の押下が解除されるまで右方向に移動し、プレーヤが第２ボタン３４を押下すると第２ボタン３４の押下が解除されるまで奥方向に移動する。そして第２ボタン３４の押下が解除されると、自動的に下方向への移動を開始する。そして景品保持部１２が景品載置部２６や景品に接触したり、予め定められた下限位置まで移動すると、下方向への移動を停止して自動的に第１動作部３６および第２動作部３７を閉じる保持動作を行う。すると景品保持部１２は、第１動作部３６および第２動作部３７を閉じたまま自動的に上方向への移動を開始し、上限位置まで移動すると上方向への移動を停止し、自動的に開口領域１８の上方の位置へ移動する。そして開口領域１８の上方の位置に到達すると、景品保持部１２は、第１動作部３６および第２動作部３７を開く開放動作を行い、景品を保持していた場合には、保持していた景品を開口領域１８に落下させる。すると景品保持部１２は、初期位置へ移動して、次の操作を待機する。
【００３２】
ここで本実施形態では、第１景品載置部２６および第２景品載置部２７のそれぞれに別の景品を載置するのみならず、１つの大きな景品を、第２景品載置部２７に載置しつつ第１景品載置部２６に立て掛けるようにして、景品誘導空間２２の上方に景品を維持することができる。そして景品保持部１２は、第１動作部３６および第２動作部３７により景品を保持して開口領域１８の上方に移動し、開口領域１８の上方において景品を解放することにより景品を景品誘導空間２２に落下させるのみならず、景品保持部１２が前後左右に移動している際に景品と接触することにより景品を移動させて景品誘導空間２２に落下させたり、景品保持部１２が下降している際に景品と接触することにより景品を移動させて景品誘導空間２２に落下させたり、景品保持部１２が第１動作部３６および第２動作部３７を閉じる動作を行う際、あるいは開く動作を行う際に、第１動作部３６または第２動作部３７が景品と接触することにより景品を移動させて景品誘導空間２２に落下させるようにすることができる。従って本実施形態では、開口領域１８とは、景品載置領域１６以外の領域をゲーム空間２０の底面に投影した領域のみならず、ゲーム空間２０において３次元的に形成される景品が通過できる領域とすることができる。
【００３３】
なお本実施形態では、景品保持部１２の前後左右方向の移動範囲は、景品誘導空間２２が開口されている範囲に対応しており、開口領域１８が景品誘導空間２２の上方のいかなる領域において形成されても、開口領域１８の上方に移動して開放動作を行うことができるようになっている。
【００３４】
２．景品載置部のスライド制御および回転制御
次に、第１景品載置部２６と第２景品載置部２７の景品誘導空間２２の上方におけるスライド制御および回転制御の詳細について説明する。
【００３５】
図２は、本実施形態の景品獲得ゲーム装置１０の各部を分解した状態を示す斜視図である。図２に示すように、本実施形態の第１景品載置部２６は、その左右端となる左右側面にそれぞれ２個の車輪４０が設けられている。そして第１支持部２８は、左側面の２個の車輪４０を受け入れる第１左レール４２（配置部の一例）と、右側面の２個の車輪４０を受け入れる第１右レール４４（配置部の一例）とを有しており、第１左レール４２と第１右レール４４とは、互いに平行となるように設けられている。これにより第１景品載置部２６は、第１支持部２８に支持されつつ第１支持部２８に対して前後方向（スライド方向の一例）に滑らかにスライドすることができる。そして第１右レール４４と第１左レール４２とは、景品誘導空間２２の縦幅（前後幅）に対応する長さに形成されつつ、景品誘導空間２２の外周の上方に設けられている。すなわち第１支持部２８は、第１景品載置部２６を景品誘導空間２２の上方において第１支持部２８に対してスライド可能に支持している。
【００３６】
また第２景品載置部２７にも、その左右側面にそれぞれ２個の車輪４０が設けられている。そして第２支持部３０は、左側面の２個の車輪４０を受け入れる第２左レール４６と、右側面の２個の車輪４０を受け入れる第２右レール４８とを有しており、第２左レール４６と第２右レール４８とは、互いに平行となるように設けられている。これにより第２景品載置部２７は、第２支持部３０に対して前後方向に滑らかにスライドすることができる。そして第２右レール４８と第２左レール４６とは、景品誘導空間２２の縦幅に対応する長さに形成されつつ、景品誘導空間２２の上端の外周に設けられている。すなわち第２支持部３０は、第２景品載置部２７を景品誘導空間２２の上方において第２支持部３０に対してスライド可能に支持している。
【００３７】
このように本実施形態では、相対的に高い位置に支持される第１景品載置部２６と相対的に低い位置に支持される第２景品載置部２７とが個別に前後方向にスライドされることにより、第１景品載置部２６と第２景品載置部２７の前後方向の位置関係が変化し、景品誘導空間２２の上方において開口領域１８の態様を変化させることができる。
【００３８】
２−１．第２景品載置部の詳細
図３（Ａ）および図３（Ｂ）は、図２で示した第２景品載置部２７の詳細を示す平面図である。図３（Ａ）に示すように、第２景品載置部２７の景品載置面を形成する第２本体部５０の内部前方よりには、棒状部材により構成された前左突出部５２（第１突出部の一例、第２スライド制御部の一例）が、第２本体部５０の中央付近から第２本体部５０の左端に向かって長手方向に沿ってスライド可能に設けられ、棒状部材により構成された前右突出部５４（第２突出部の一例、第２スライド制御部の一例）が、第２本体部５０の中央付近から第２本体部５０の右端に向かって長手方向に沿ってスライド可能に設けられている。そして、第２本体部５０の中央付近には中央バネ５６が設けられており、前左突出部５２が第２本体部５０の左端から突出するように前左突出部５２を付勢し、前右突出部５４が第２本体部５０の右端から突出するように前右突出部５４を付勢している。
【００３９】
また、第２本体部５０の景品載置面の中央前方よりには、人の指を挿入できる穴が設けられた左操作子５８（第１操作子の一例）と右操作子６０（第２操作子の一例）とを有する第２スライド操作部６２が設けられている。この左操作子５８と右操作子６０とは、第２本体部５０に対して横方向にスライド可能に設けられており、片手で操作できる距離に設けられている。そして左操作子５８は前左突出部５２とともに第２本体部５０に対してスライドするように連結されており、右操作子６０は前右突出部５４とともに第２本体部５０に対してスライドするように連結されている。そして、前左突出部５２が左端から突出するとともに前右突出部５４が右端から突出する突出状態である場合に、左操作子５８と右操作子６０とが離隔した離隔状態（第１状態の一例）となるように、左操作子５８は前左突出部５２に、右操作子６０は前右突出部５４に連結されている。
【００４０】
従って、図３（Ｂ）に示すように、景品獲得ゲーム装置１０の管理者等が、例えば左操作子５８の穴に右手の親指を挿入し右操作子６０の穴に右手の人差し指を挿入した状態で、左操作子５８と右操作子６０とをつまむようにして接近させる操作を行うと（外力が加えられる場合の一例）、左操作子５８と右操作子６０は、それぞれが接近した接近状態（第２状態の一例）に変化するとともに、前左突出部５２と前右突出部５４は、前左突出部５２が左端から突出せず前右突出部５４が右端から突出しない非突出状態に変化する。そして管理者等が、左操作子５８と右操作子６０とをつまむようにする操作を解除すると（外力が加えられない場合の一例）、前左突出部５２と前右突出部５４は、中央バネ５６の付勢力により前左突出部５２が左端から突出するとともに前右突出部５４が右端から突出する突出状態に変化するとともに、左操作子５８と右操作子６０は、それぞれが離隔した離隔状態に復帰（変化の一例）する。
【００４１】
図４（Ａ）および図４（Ｂ）は、第２景品載置部２７と第２支持部３０の左側の連結部分を前方から見た断面図である。図２で示したように、第２支持部３０の第２左レール４６の側面には、前左突出部５２の断面積よりも若干広めに開口形成されている複数の左受入部６４（第１受入部の一例）が前後方向に等間隔に一列に設けられている。そして図４（Ａ）に示すように、第２スライド操作部６２が操作されていないことにより前左突出部５２が突出状態となっている場合には、前左突出部５２の先端は、いずれかの左受入部６４（第１受入部の一例）に受け入れられる。そして上述したように、この場合には前右突出部５４も突出状態となっており、図示しないが、前右突出部５４の先端は、複数の左受入部６４と面対称（鏡映対称）となるように第２右レール４８の側面に設けられている複数の右受入部６６（第２受入部の一例）のいずれかに受け入れられる。従って前左突出部５２と前右突出部５４とは、突出状態となっている場合に、第２景品載置部２７の左端（一方側の固定位置の一例）と右端（他方側の固定位置の一例）とにおいて第２景品載置部２７を第２支持部３０に対してスライド不可能に安定的に固定する。
【００４２】
一方、図４（Ｂ）に示すように、第２スライド操作部６２が操作されることにより前左突出部５２が非突出状態となっている場合には、前左突出部５２の先端は左受入部６４に受け入れられない。そして上述したように、この場合には前右突出部５４も非突出状態となっており、図示しないが、前右突出部５４の先端も右受入部６６に受け入れられない。そして図４（Ｂ）に示すように、第２本体部５０の左端側面に設けられた水平軸の車輪４０と、第２本体部５０の左端下面に設けられた鉛直軸の車輪４０とが、第２支持部３０の第２左レール４６に接触する。また図示しないが、第２本体部５０の右端側面に設けられた水平軸の車輪４０と、第２本体部５０の右端下面に設けられた鉛直軸の車輪４０とが、第２支持部３０の第２右レール４８に接触する。従って前左突出部５２と前右突出部５４とは、非突出状態となっている場合に、第２景品載置部２７を第２支持部３０に対して滑らかにスライド可能にする。
【００４３】
このように本実施形態では、前左突出部５２と前右突出部５４とは、左操作子５８と右操作子６０とが離隔状態となっている場合には、第２景品載置部２７を第２支持部３０に対してスライド不可能に固定するスライド規制状態となり、左操作子５８と右操作子６０とが接近状態となっている場合には、第２景品載置部２７を第２支持部３０に対してスライド可能にするスライド許可状態となる。従って図５に示すように、管理者等は、左操作子５８と右操作子６０とを片手でつまみつつ、その手を前後方向に移動させることにより、片手で第２景品載置部２７を前後方向にスライドさせることができる。そして、第１右レール４４と第２左レール４６に対称的に設けられている複数組の左受入部６４と右受入部６６のうち、いずれか一組の左受入部６４と右受入部６６が設けられた位置に、前左突出部５２と前右突出部５４の位置を合わせ、左操作子５８と右操作子６０とをつまむ操作を解除することにより、任意の位置で第２景品載置部２７を第２支持部３０に対して固定することができる。こうして本実施形態では、第２景品載置部２７の横幅が広くても、第２景品載置部２７のスライド操作を容易に行うことができる。
【００４４】
２−２．第１景品載置部の詳細
図６（Ａ）および図６（Ｂ）は、図２で示した第１景品載置部２６詳細を示す平面図である。図６（Ａ）に示すように、第１景品載置部２６の景品載置面を形成する第１本体部６８の前方よりには、上述した第２景品載置部２７と同様に、第１スライド操作部７０と前左突出部５２（第１突出部の一例、第１スライド制御部の一例）と前右突出部５４（第２突出部の一例、第１スライド制御部の一例）とが設けられている。そして、第１スライド操作部７０の左操作子５８と右操作子６０とが離隔状態となっている場合には、前左突出部５２と前右突出部５４とは、第１景品載置部２６を第１支持部２８に対してスライド不可能に固定するスライド規制状態となり、第１スライド操作部７０の左操作子５８と右操作子６０とが接近状態となっている場合には、第１景品載置部２６を第１支持部２８に対してスライド可能にするスライド許可状態となる。従って本実施形態では、上述した第２景品載置部２７と同様に、第１景品載置部２６の横幅が広くても、第１景品載置部２６のスライド操作を容易に行うことができる。
【００４５】
ここで第１景品載置部２６は、図２に示すように、扇形の板状部材により構成され、第１本体部６８の左端から上方に延びるように設けられた左回転支持部７２（回転支持部の一例）と、第１本体部６８の右端から上方に延びるように設けられた右回転支持部７４（回転支持部の一例）とを有しており、この左回転支持部７２と右回転支持部７４とは、それぞれの下端同士が、第１本体部６８の底面に沿う接続面７６によって接続されている。そして第１本体部６８は、第１本体部６８の前方よりにおいて横方向（スライド方向に交差する方向の一例）に設けられている第１回転軸７８（所定の軸の一例）回りに、左回転支持部７２と右回転支持部７４とに対して回転可能に連結されている。そして左回転支持部７２には、弧に沿って等間隔に複数の左受入部６４が設けられており、複数の左受入部６４と面対称（鏡映対称）となるように、右回転支持部７４にも複数の右受入部６６が設けられている。そして左回転支持部７２の左側面の下部には、第１支持部２８の第１左レール４２を滑走する２個の車輪４０が設けられ、右回転支持部７４の右側面の下部には、第１支持部２８の第１右レール４４を滑走する２個の車輪４０が設けられている。
【００４６】
そして第１景品載置部２６は、図６（Ａ）に示すように、第１本体部６８の内部後方よりに、棒状部材により構成された後左突出部８０（第１突出部の一例、回転制御部の一例）が、第１本体部６８の中央付近から第１本体部６８の左端に向かって長手方向に沿ってスライド可能に設けられ、棒状部材により構成された後右突出部８２（第２突出部の一例、回転制御部の一例）が、第１本体部６８の中央付近から第１本体部６８の右端に向かって長手方向に沿ってスライド可能に設けられている。そして、第１本体部６８の中央付近には中央バネ５６が設けられており、後左突出部８０が第１本体部６８の左端から突出するように後左突出部８０を付勢し、後右突出部８２が第１本体部６８の右端から突出するように後右突出部８２を付勢している。
【００４７】
また、第１本体部６８の景品載置面の中央後方よりには、人の指を挿入できる穴が設けられた左操作子５８（第１操作子の一例）と右操作子６０（第２操作子の一例）とを有する回転操作部８４が設けられている。この回転操作部８４も第１スライド操作部７０および第２スライド操作部６２と同様の構成を有しており、左操作子５８と右操作子６０とが離隔した離隔状態である場合に、後左突出部８０が左端から突出するとともに後右突出部８２が右端から突出する突出状態となるように、左操作子５８は後左突出部８０に、右操作子６０は後右突出部８２に連結されている。
【００４８】
従って、図６（Ｂ）に示すように、管理者等が、回転操作部８４の左操作子５８と右操作子６０とをつまむようにして接近させる操作を行うと（外力が加えられる場合の一例）、左操作子５８と右操作子６０は、それぞれが接近した接近状態（第２状態の一例）に変化するとともに、後左突出部８０と後右突出部８２は、後左突出部８０が左端から突出せず後右突出部８２が右端から突出しない非突出状態に変化する。そして管理者等が、回転操作部８４の左操作子５８と右操作子６０とをつまむようにする操作を解除すると（外力が加えられない場合の一例）、後左突出部８０と後右突出部８２は、中央バネ５６の付勢力により後左突出部８０が左端から突出するとともに後右突出部８２が右端から突出する突出状態に変化し、回転操作部８４の左操作子５８と右操作子６０は、それぞれが離隔した離隔状態に復帰（変化の一例）する。
【００４９】
図７（Ａ）および図７（Ｂ）は、第１本体部６８と右回転支持部７４の連結部分を後方から見た断面図である。なお、図７（Ａ）および図７（Ｂ）は後方から見た図であるので、図７（Ａ）および図７（Ｂ）では、前方から見て右側にある部材は左側に配置されている。図２で示したように、右回転支持部７４には、後左突出部８０の断面積よりも若干広めに開口形成されている複数の右受入部６６（第１受入部の一例）が、右回転支持部７４の弧に沿って等間隔に設けられている。そして図７（Ａ）に示すように、第１本体部６８が水平状態となっている場合であって、回転操作部８４が操作されていないことにより後右突出部８２が突出状態となっている場合には、後右突出部８２の先端は、複数の右受入部６６のうち最も下に設けられている右受入部６６に受け入れられる。そして上述したように、この場合には後左突出部８０も突出状態となっており、図示しないが、後左突出部８０の先端は、左回転支持部７２の側面に開口形成されている複数の左受入部６４（第２受入部の一例）のうち最も下に設けられている左受入部６４に受け入れられる。従って後右突出部８２と後左突出部８０とは、突出状態となっている場合に、第１本体部６８の右端（他方側の固定位置の一例）と左端（一方側の固定位置の一例）とにおいて第１本体部６８を右回転支持部７４および左回転支持部７２に対して回転不可能に安定的に固定する。
【００５０】
一方、図７（Ｂ）に示すように、回転操作部８４が操作されることにより後右突出部８２が非突出状態となっている場合には、後右突出部８２の先端は右受入部６６に受け入れられない。そして上述したように、この場合には後左突出部８０も非突出状態となっており、図示しないが、後左突出部８０の先端も左受入部６４に受け入れられない。従って後右突出部８２と後左突出部８０とは、非突出状態となっている場合に、第１本体部６８の後端が図中上方に移動するように第１本体部６８を右回転支持部７４および左回転支持部７２に対して回転可能にする。
【００５１】
なお本実施形態では、図７（Ｂ）に示すように、第１本体部６８の前方より（図中では奥側）に設けられている前右突出部５４と前左突出部５２とは円形断面を有するとともに、前右突出部５４が右回転支持部７４に対して、前左突出部５２が左回転支持部７２に対して、それぞれ回転可能に貫通していることにより、第１本体部６８は、前右突出部５４と前左突出部５２とを第１回転軸７８として回転支持部に対して回転する。
【００５２】
このように本実施形態では、後右突出部８２と後左突出部８０とは、左操作子５８と右操作子６０とが離隔状態となっている場合には、第１本体部６８を左回転支持部および７２右回転支持部７４に対して回転不可能に固定する回転規制状態となり、左操作子５８と右操作子６０とが接近状態となっている場合には、第１本体部６８を左回転支持部および７２右回転支持部７４に対して回転可能にする回転許可状態となる。
【００５３】
従って図８に示すように、管理者等は、左操作子５８と右操作子６０とを片手でつまみつつ、その手を第１回転軸７８回りに移動させることにより、片手で第１景品載置部２６を第１回転軸７８回りに回転させることができる。そして、左回転支持部７２と右回転支持部７４とに対称的に設けられている複数組の左受入部６４と右受入部６６のうち、いずれか一組の左受入部６４と右受入部６６が設けられた位置に、後左突出部８０と後右突出部８２の位置を合わせ、左操作子５８と右操作子６０とをつまむ操作を解除することにより、任意の回転角度で第１景品載置部２６を左回転支持部７２と右回転支持部７４とに対して安定的に固定することができる。こうして本実施形態では、第１景品載置部２６の横幅が広くても、第１景品載置部２６のスライド操作および回転操作を容易に行うことができる。
【００５４】
なお、図７（Ａ）に示すように、後右突出部８２と後左突出部８０とが最も下に設けられている右受入部６６および左受入部６４に受け入れられることにより突出状態となっている場合、すなわち第１本体部６８が水平状態で固定されている場合には、後右突出部８２は右回転支持部７４を貫通して第１支持部２８の第１右レール４４の内部に至り、後左突出部８０は左回転支持部７２を貫通して第１支持部２８の第１左レール４２の内部に至る。しかしこのような場合であっても、後右突出部８２と後左突出部８０とは、それぞれが第１右レール４４および第１左レール４２と干渉しないようになっているので、第１本体部６８を水平状態で固定させている場合でも、第１景品載置部２６を第１支持部２８に対してスライドさせることができる。
【００５５】
このように本実施形態では、第１景品載置部２６および第２景品載置部２７のスライド操作と、第１景品載置部２６の回転操作という容易な操作によって、第１景品載置部２６と第２景品載置部２７の前後方向の位置関係の変化と、第１景品載置部２６の横方向の軸回りの回転角度の変化との組み合わせに応じて、景品誘導空間２２の上方で景品載置領域１６および開口領域１８の態様を様々に変化させることができる。
【００５６】
３．景品載置部の昇降制御
次に、第１景品載置部２６の景品誘導空間２２の上方における昇降制御の詳細について説明する。
【００５７】
図２に示すように、本実施形態の景品獲得ゲーム装置１０の下部の内部には、景品誘導空間２２の外周の左側に左基礎部８６（基礎部の一例）が、景品誘導空間２２の外周の右側に右基礎部８８（基礎部の一例）が、それぞれ景品獲得ゲーム装置１０の下部に対して固定的に設けられている。そして左基礎部８６には、第１支持部２８の左側下部を構成する左昇降部９０（第１昇降部）が左基礎部８６に対して上下方向に昇降可能に設けられ、右基礎部８８には、第１支持部２８の右側下部を構成する右昇降部９２（第２昇降部）が右基礎部８８に対して上下方向に昇降可能（上下方向にスライド可能であることの一例）に設けられている。
【００５８】
３−１．昇降部と基礎部の詳細
図９（Ａ）および（Ｂ）は、本実施形態の景品獲得ゲーム装置１０の下部の内部構造の詳細を示す側面図である。図９（Ａ）に示すように、左昇降部９０は、前方において鉛直に設けられている前柱部９４と、後方において鉛直に設けられている後柱部９６と、前柱部９４と後柱部９６とをそれぞれの上端で接続し水平に設けられている梁部９８とを有している。そして前柱部９４には、前面と側面とにそれぞれ２個の水平軸の車輪４０が設けられており、後柱部９６には、背面と側面とにそれぞれ２個の水平軸の車輪４０が設けられている。そして左基礎部８６は、前柱部９４の４個の車輪４０を受け入れる鉛直に設けられた前レール１００と、後柱部９６の４個の車輪４０を受け入れる鉛直に設けられた後レール１０２とを有しており、前柱部９４と後柱部９６と前レール１００と後レール１０２とは、互いに平行となっている。これにより左昇降部９０は、左基礎部８６に対して上下方向（昇降方向の一例）に滑らかに昇降することができる。
【００５９】
そして左基礎部８６には、ガススプリング１０４（上昇付勢部の一例）のピストンロッド１０６が取り付けられており、ガススプリング１０４のシリンダー１０８は、リンク１１０を介して左昇降部９０の梁部９８に連結されている。そしてガススプリング１０４は、図９（Ａ）に示すように、左昇降部９０が最も下降している状態において縮んでいる状態となるように左昇降部９０の梁部９８に連結されており、梁部９８を上方に付勢している。
【００６０】
また左昇降部９０の前柱部９４の中央付近には、棒状部材により構成された水平突出部１１２（第１昇降制御部の一例）が、前後方向にスライド可能に設けられている。また左昇降部９０の梁部９８の上面には、水平状態（第１状態の一例）と垂直状態（第２状態の一例）との間で梁部９８に対して回転可能なレバー部１１４（第１昇降操作部の一例）が設けられており、レバー部１１４と水平突出部１１２とは、レバー部１１４が水平状態である場合には水平突出部１１２が前柱部９４から前方に突出する突出状態となり、レバー部１１４が垂直状態である場合には水平突出部１１２が前柱部９４から突出しない非突出状態となるように連結されている。
【００６１】
そして左基礎部８６の前レール１００には、水平突出部１１２の断面積よりも若干広めに開口形成されている複数の水平受入部１１６が上下方向に等間隔に一列に設けられている。そして図９（Ａ）に示すように、レバー部１１４が水平状態となっていることにより水平突出部１１２が突出状態となっている場合には、水平突出部１１２の先端はいずれかの水平受入部１１６に受け入れられる。従って水平突出部１１２は、突出状態となっている場合に左昇降部９０を左基礎部８６に対して昇降不可能に固定する。
【００６２】
一方、図９（Ｂ）に示すように、レバー部１１４が垂直状態となっていることにより水平突出部１１２が非突出状態となっている場合には、水平突出部１１２の先端は水平受入部１１６に受け入れられない。従って水平突出部１１２は、非突出状態となっている場合に左昇降部９０を左基礎部８６に対して滑らかに昇降可能にする。
【００６３】
すなわち水平突出部１１２は、レバー部１１４が水平状態となっている場合には、左昇降部９０を左基礎部８６に対して昇降不可能に固定する昇降規制状態となり、レバー部１１４が垂直状態となっている場合には、左昇降部９０を左基礎部８６に対して昇降可能にする昇降許可状態となる。
【００６４】
そしてガススプリング１０４は、水平突出部１１２が昇降許可状態である場合に左昇降部９０から受ける重量に対して釣り合うように左昇降部９０を上方に付勢している。従って管理者等は、レバー部１１４を垂直状態にしつつ、左昇降部９０を引き上げることにより、左昇降部９０を上昇させることができ、左昇降部９０を押し下げることにより、左昇降部９０を下降させることができる。そして、前レール１００に設けられている複数の水平受入部１１６のうち、いずれかの水平受入部１１６が設けられた位置に水平突出部１１２の位置を合わせ、レバー部１１４を水平状態にすることにより、任意の高さで左昇降部９０を左基礎部８６に対して固定することができる。
【００６５】
そして、図２で示したように、景品誘導空間２２の外周の右側に設けられている右基礎部８８および右昇降部９２も、上述した左基礎部８６および左昇降部９０と同様の構成を有している。
【００６６】
３−２．第１支持部の詳細
そして図２に示すように、左昇降部９０の上部には、左昇降部９０に対して前後方向（スライド方向の一例）に沿った第１軸１１８回りに回転可能な左連結部１２０（第１連結部の一例）が、左昇降部９０の上部から上方に延びるように連結されており、右昇降部９２の上部には、右昇降部９２に対して前後方向（スライド方向の一例）に沿った第２軸１２２回りに回転可能な右連結部１２４（第２連結部の一例）が、右昇降部９２の上部から上方に延びるように連結されている。そして左連結部１２０は、第１左レール４２に対して第１軸１１８と平行な第３軸１２６回りに回転可能に連結され、右連結部１２４は、第１右レール４４に対して第１軸１１８と平行な第４軸１２８回りに回転可能に連結されている。そして第１左レール４２と第１右レール４４とは、後端において第１後接続部１３０により接続されている。
【００６７】
図１０（Ａ）、図１０（Ｂ）、図１０（Ｃ）は、第１支持部２８の正面図である。図１０（Ａ）に示すように、本実施形態の第１支持部２８では、左昇降部９０と左連結部１２０、右昇降部９２と右連結部１２４の関係に関しては、左連結部１２０は、左連結部１２０が鉛直状態となる位置（第１基準位置の一例）から第１軸１１８回りの時計回り方向（第１方向の一例）への回転が許容されつつ、左連結部１２０が鉛直状態となる位置から反時計回り方向（第２方向の一例）への回転が規制されるように左昇降部９０に連結されている。また右連結部１２４は、右連結部１２４が鉛直状態となる位置（第２基準位置の一例）から第２軸１２２回りの反時計回り方向への回転が許容されつつ、右連結部１２４が鉛直状態となる位置から時計回り方向への回転が規制されるように右昇降部９２に連結されている。
【００６８】
一方、第１左レール４２と左連結部１２０、第１右レール４４と右連結部１２４の関係に関しては、左連結部１２０は、左連結部１２０が鉛直状態となる位置から第３軸１２６回りの時計回り方向および反時計回り方向への回転が許容されるように第１左レール４２に連結されている。また右連結部１２４は、右連結部１２４が鉛直状態となる位置から第４軸１２８回りの時計回り方向および反時計回り方向への回転が許容されるように第１右レール４４に連結されている。
【００６９】
従って本実施形態の第１支持部２８では、図１０（Ａ）に示すように、左昇降部９０と右昇降部９２とが同じ高さとなっている場合には、左連結部１２０と右連結部１２４とが互いに異なる方向への回転が規制されていることにより、左連結部１２０と右連結部１２４とがいずれも鉛直状態となる位置を維持し、第１景品載置部２６を水平状態に安定的に保つことができる。
【００７０】
また本実施形態の第１支持部２８では、図１０（Ｂ）に示すように、右連結部１２４が、右昇降部９２に対して第２軸１２２回りに反時計回り方向に回転するとともに、第１右レール４４に対して第４軸１２８回りに反時計回り方向に回転し、左連結部１２０が、第１左レール４２に対して第３軸１２６回りに反時計回り方向に回転することにより、左昇降部９０が右昇降部９２よりも高くなるようにすることができる。そしてこの状態では、左連結部１２０が左昇降部９０に対して第１軸１１８回りに反時計回り方向に回転するように力がかかっているが、左連結部１２０はこの状態から反時計回り方向に回転することが規制されているので、左連結部１２０と右連結部１２４とは図１０（Ｂ）の状態となる位置を維持し、第１景品載置部２６を斜め状態に安定的に保つことができる。
【００７１】
また図１０（Ｃ）に示すように、左連結部１２０が、左昇降部９０に対して第１軸１１８回りに時計回り方向に回転するとともに、第１左レール４２に対して第３軸１２６回りに時計回り方向に回転し、右連結部１２４が、第１右レール４４に対して反時計回り方向に回転することにより、左昇降部９０が右昇降部９２よりも高くなるようにすることができる。そしてこの状態では、右連結部１２４が右昇降部９２に対して第２軸１２２回りに時計回り方向に回転するように力がかかっているが、右連結部１２４はこの状態から時計回り方向に回転することが規制されているので、左連結部１２０と右連結部１２４とは図１０（Ｃ）の状態となる位置を維持し、第１景品載置部２６を斜め状態に安定的に保つことができる。
【００７２】
そして第１支持部２８は、左昇降部９０と左連結部１２０と第１左レール４２の連結関係と、右昇降部９２と右連結部１２４と第１右レール４４の連結関係とは、面対称となるように構成されているので、図１０（Ｂ）や図１０（Ｃ）で示す状態と左右対称に、右昇降部９２が左昇降部９０よりも高くなるようにすることもできる。こうして本実施形態では、左連結部１２０または右連結部１２４のいずれかが鉛直となる状態を維持しながら、左昇降部９０と右昇降部９２とを個別に昇降させることができる。従って本実施形態では、第１景品載置部２６の横幅を広くしても、左昇降部９０と右昇降部９２とを交互に昇降させることにより、容易に第１景品載置部２６を昇降させることができる。
【００７３】
更に本実施形態では、左昇降部９０を左基礎部８６に対して固定する高さと、右昇降部９２を右基礎部８８に対して固定する高さを異なるようにすれば、図１１に示すように、左昇降部９０が右昇降部９２よりも高くなる状態で左昇降部９０と右昇降部９２とを安定的に固定することができる。すなわち本実施形態では、前後方向（スライド方向の一例）に沿った軸回りの任意の回転角度で第１景品載置部２６を安定的に固定することができる。
【００７４】
このように本実施形態では、上述したような第１景品載置部２６と第２景品載置部２７の前後方向の位置関係の変化と、第１景品載置部２６の横方向の軸回りの回転角度の変化に加え、左昇降部９０および右昇降部９２の昇降操作という容易な操作によって、第１景品載置部２６の前後方向に沿った軸回りの回転角度をも変化させることができる。従って本実施形態では、これらの変化の組み合わせに応じて、景品誘導空間２２の上方で景品載置領域１６および開口領域１８の態様を様々に変化させることができる。
【００７５】
４．他の景品載置部の取り付け
４−１．１つの景品載置部に対する他の景品載置部の取り付け
次に、景品載置領域１６を形成するものとして第１景品載置部２６および第２景品載置部２７に加えて用意されている、第３景品載置部１３２（第３景品維持部の一例）の取り付けの詳細について説明する。
【００７６】
図１２は、第３景品載置部１３２と第１景品載置部２６の一部を示した斜視図である。図１２に示すように、第３景品載置部１３２は、四角柱が矩形の各辺を構成するように組まれた枠型形状を有する枠部１３４と、枠部１３４の上面に取り付けられた矩形板状の透明な第１載置板１３６とを有しており、この第１載置板１３６が、景品を載置することができる景品載置面を形成する。そして本実施形態の第３景品載置部１３２は、横幅が約２５０ｍｍ（第１景品載置部２６および第２景品載置部２７の横幅の約６分の１）、縦幅が約２００ｍｍ、厚さが約３０ｍｍ（第１景品載置部２６および第２景品載置部２７の厚さと同一）となっている。そして枠部１３４を構成する４つの辺の各辺の内周面には、枠部１３４の外周面に貫通する２つの枠ネジ穴１３８が設けられている。
【００７７】
一方、第１景品載置部２６の景品載置面を形成する第１本体部６８の前面（側面の一例）には、長手方向となる横方向に沿って第１溝１４０が設けられており、第１溝１４０の内部には、１つの取付ネジ穴１４２が設けられた矩形板状の複数の取付部１４４が、それぞれが第１溝１４０の内部を横方向に個別にスライド可能に配置されている。そして本実施形態では、この取付ネジ穴１４２に螺合する複数のツマミネジ１４６が用意されており、このツマミネジ１４６は枠部１３４の内周面から枠ネジ穴１３８に挿入すると枠ネジ穴１３８を貫通して枠部１３４の外周面から突出する長さを有している。従って、図１２に示すように、２つの枠ネジ穴１３８のそれぞれに対して枠部１３４の内周面からツマミネジ１４６を挿入し、２つのツマミネジ１４６の間隔に合わせて２つの取付部１４４の間隔を調整することにより、２つのツマミネジ１４６のそれぞれを取付ネジ穴１４２に螺合させることができる。なお、本実施形態のツマミネジ１４６は、管理者等が工具を使わずに指先でネジ頭を回転させることができるようになっている。
【００７８】
図１３（Ａ）、図１３（Ｂ）、図１３（Ｃ）は、第１景品載置部２６と第３景品載置部１３２の側断面図である。図１３（Ａ）、図１３（Ｂ）、図１３（Ｃ）は、枠ネジ穴１３８と取付ネジ穴１４２とを通る面を断面としている。図１３（Ａ）に示すように、第１景品載置部２６の前面に設けられた第１溝１４０は、第１溝１４０の内部に設けられた取付部１４４の取付ネジ穴１４２が露出し、かつ取付部１４４が第１溝１４０から外部に外れないようにしつつ、取付部１４４が図中手前奥方向にスライド可能となるように形成されている。更に第１溝１４０は、取付部１４４をツマミネジ１４６が貫通した場合でもツマミネジ１４６の先端と干渉しないように形成されている。
【００７９】
そして図１３（Ｂ）に示すように、ツマミネジ１４６を枠部１３４の内周面から枠ネジ穴１３８に挿入して取付部１４４の取付ネジ穴１４２と螺合させるようにツマミネジ１４６が締められると、取付部１４４とネジ頭とに挟まれて第３景品載置部１３２と第１景品載置部２６とが密着されることにより、第３景品載置部１３２を第１景品載置部２６に対して固定することができる。更に図１３（Ｃ）に示すように、取付ネジ穴１４２にツマミネジ１４６を螺合させつつツマミネジ１４６を緩めると、第３景品載置部１３２と第１景品載置部２６との密着状態が解除され、ツマミネジ１４６が取付部１４４に取り付けられつつ第３景品載置部１３２が第１景品載置部２６に固定されない半固定状態となる。そしてこのような半固定状態では、第３景品載置部１３２を第１景品載置部２６に対してスライドさせることができる。
【００８０】
従って本実施形態では、このような半固定状態にある第３景品載置部１３２を、図１４に示すように、第１景品載置部２６に対してスライドさせつつ、第１景品載置部２６の前面の任意の位置において固定させることができる。更に本実施形態では、第２景品載置部２７にも第１景品載置部２６の第１溝１４０と同様の第２溝１４８および取付部１４４が設けられており、図１４に示すように、半固定状態にある第３景品載置部１３２を第２景品載置部２７に対してスライドさせつつ、第２景品載置部２７の前面の任意の位置において固定させることができる。
【００８１】
更に本実施形態では、第１景品載置部２６の第１溝１４０および第２景品載置部２７の前面の第２溝１４８のそれぞれには、１０個の取付部１４４が設けられており、第１景品載置部２６および第２景品載置部２７のそれぞれに、最大５個の第３景品載置部１３２を取り付けることができる。すなわち本実施形態では、図１４に示すように、第１景品載置部２６および第２景品載置部２７のそれぞれに、複数の第３景品載置部１３２をスライド可能かつ固定可能に取り付けることができる。
【００８２】
このように本実施形態では、第１景品載置部２６および第２景品載置部２７の少なくとも一方に対する第３景品載置部１３２の取り付け個数および固定位置に応じて、景品誘導空間２２の上方で景品載置領域１６および開口領域１８の態様を様々に変化させることができる。また第３景品載置部１３２の横幅は、第１景品載置部２６および第２景品載置部２７の横幅の６分の１程度に形成されているので、第３景品載置部１３２に景品を載置すると、第１景品載置部２６および第２景品載置部２７に景品を載置する場合よりも、景品が大きく見えるようにかつ景品が落下しやすく見えるようにすることができる。
【００８３】
４−２．２つの景品載置部に対する他の景品載置部の取り付け
図１５（Ａ）、図１５（Ｂ）は、第１景品載置部２６および第２景品載置部２７の正面図である。図１５（Ａ）の例では、第３景品載置部１３２と同様の構成を有しつつ、横幅が約７５０ｍｍ（第１景品載置部２６および第２景品載置部２７の横幅の約２分の１）、縦幅が約２００ｍｍ、厚さが約３０ｍｍ（第１景品載置部２６および第２景品載置部２７の厚さと同一）に形成されている第４景品載置部１５０（第３景品維持部の一例）が用いられている。このような第４景品載置部１５０が用いられる場合には、図１５（Ａ）に示すように、第１景品載置部２６および第２景品載置部２７の前面の前後方向（図中では手前奥方向）の位置を揃えることにより、第４景品載置部１５０の長辺に設けられている２つの枠ネジ穴１３８のうち、一方の枠ネジ穴１３８を貫通するツマミネジ１４６を第１景品載置部２６の取付部１４４の取付ネジ穴１４２に螺合させ、他方の枠ネジ穴１３８を貫通するツマミネジ１４６を第２景品載置部２７の取付部１４４の取付ネジ穴１４２に螺合させることができる。すなわち本実施形態では、１つの第４景品載置部１５０を、第１景品載置部２６および第２景品載置部２７を跨ぐようにして取り付けることができる。
【００８４】
ここで上述したように本実施形態では、第１景品載置部２６を昇降させることにより、第１景品載置部２６と第２景品載置部２７の上下方向の間隔を変化させることができるが、第１景品載置部２６を図１５（Ａ）に示す状態から図１５（Ｂ）に示す状態に上昇させる場合には、第４景品載置部１５０の第１景品載置部２６または第２景品載置部２７に対する取付位置を変化させなければ取付状態を維持できない。しかし本実施形態では、上述したように、第１景品載置部２６の取付部１４４および第２景品載置部２７の取付部１４４は、それぞれ横方向にスライド可能に設けられている。従って本実施形態では、第１景品載置部２６と第２景品載置部２７の上下方向の間隔を変化させる場合には、第４景品載置部１５０を第１景品載置部２６および第２景品載置部２７に対して半固定状態にしておくことにより、図１５（Ａ）および図１５（Ｂ）に示すように、第４景品載置部１５０を第１景品載置部２６および第２景品載置部２７に取り付けた状態のまま、第１景品載置部２６と第２景品載置部２７の上下方向の間隔を変化させることができる。
【００８５】
これにより本実施形態では、図１５（Ａ）および図１５（Ｂ）に示すように、第４景品載置部１５０を第１景品載置部２６および第２景品載置部２７に取り付けた状態のまま、第４景品載置部１５０の第１景品載置部２６および第２景品載置部２７に対する取付角度を変化させることができる。すなわち本実施形態では、第１景品載置部２６と第２景品載置部２７の上下方向の間隔を変化させることにより、第４景品載置部１５０の前後方向の軸回りの回転角度を変化させることができ、景品誘導空間２２の上方で景品載置領域１６および開口領域１８の態様を様々に変化させることができる。
【００８６】
４−３．景品載置部と接続部とに対する他の景品載置部の取り付け
図１６（Ａ）は、第２景品載置部２７が第２支持部３０に支持されている状態を、景品獲得ゲーム装置１０の背面側から見た斜視図である。図２で示したように、第２支持部３０の第２左レール４６と第２右レール４８とは、前端部が接続されておらず解放されているが、図１６に示すように、第２左レール４６と第２右レール４８とを跨ぐことができる長さを有した第２前接続部１５２を、第２左レール４６と第２右レール４８に対して直交するように取り付けることにより、第２左レール４６と第２右レール４８とを先端において接続することができる。
【００８７】
ここで図１６（Ｂ）に示すように、第２前接続部１５２の背面（側面の一例）には、第２景品載置部２７の第２本体部５０の前面に設けられた第２溝１４８と同様の第３溝１５４が、第２前接続部１５２の長手方向となる横方向に沿って設けられている。そして第３溝１５４の内部には、１つの取付ネジ穴１４２が設けられた矩形板状の複数の取付部１４４が、それぞれが溝の内部を横方向に個別にスライド可能に設けられている。
【００８８】
従って本実施形態では、図１６（Ａ）に示すように、第２景品載置部２７を後方（図中では手前側）にスライドさせることにより、第２景品載置部２７と第２前接続部１５２との間隔を上述した第４景品載置部１５０の横幅（約７５０ｍｍ）となるように調整すれば、第４景品載置部１５０を、第２景品載置部２７と第２前接続部１５２とを跨ぐように取り付けることができる。そして、第４景品載置部１５０を第２景品載置部２７および第２前接続部１５２に対して上述した半固定状態にしておけば、第４景品載置部１５０を第２景品載置部２７および第２前接続部１５２に取り付けた状態のまま、横方向（スライド方向の一例）にスライドさせつつ、任意の位置において固定させることができる。更に、第２景品載置部２７および第２前接続部１５２に、複数の第４景品載置部１５０をスライド可能かつ固定可能に取り付けることもできる。
【００８９】
図１７は、第１景品載置部２６が第１支持部２８に支持されている状態を、景品獲得ゲーム装置１０の背面側から見た斜視図である。図２で示したように、第１支持部２８の第１左レール４２と第１右レール４４とは、前端部が接続されておらず解放されているが、図１７に示すように、第１左レール４２と第１右レール４４とを跨ぐことができる長さを有した第１前接続部１５６を、第１左レール４２と第１右レール４４に対して直交するように取り付けることにより、第１左レール４２と第１右レール４４とを先端において接続することができる。
【００９０】
ここで図１７に示すように、第１前接続部１５６は、上述した第２前接続部１５２と同様に、背面（側面の一例）には、第１景品載置部２６の第１本体部６８の前面に設けられた第１溝１４０と同様の第４溝１５８が設けられ、第４溝１５８の内部には複数の取付部１４４が溝の内部を横方向に個別にスライド可能に設けられている。
【００９１】
従って本実施形態では、図１７に示すように、第１景品載置部２６を後方（図中では手前側）にスライドさせることにより、第１景品載置部２６と第１前接続部１５６との間隔を上述した第４景品載置部１５０の横幅（約７５０ｍｍ）となるように調整すれば、第４景品載置部１５０を、第１景品載置部２６と第１前接続部１５６とを跨ぐように取り付けることができる。そして、第４景品載置部１５０を第１景品載置部２６および第１前接続部１５６に対して上述した半固定状態にしておけば、第４景品載置部１５０を第１景品載置部２６および第１前接続部１５６に取り付けた状態のまま、横方向（スライド方向の一例）にスライドさせつつ、任意の位置において固定させることができる。更に、第１景品載置部２６および第１前接続部１５６に、複数の第４景品載置部１５０をスライド可能かつ固定可能に取り付けることもできる。
【００９２】
このように本実施形態では、第２景品載置部２７および第２前接続部１５２に対する第４景品載置部１５０の取り付け個数および固定位置の変化と、第１景品載置部２６および第１前接続部１５６に対する第４景品載置部１５０の取り付け個数および固定位置の変化の組み合わせに応じて、景品誘導空間２２の上方で景品載置領域１６および開口領域１８の態様を様々に変化させることができる。
【００９３】
５．動作部の詳細
次に、景品保持部１２の詳細について説明する。
【００９４】
図１で示したように、本実施形態の景品獲得ゲーム装置１０のゲーム空間２０の上部には、第１景品載置部２６や第２景品載置部２７に載置された景品を移動させるための景品保持部１２が設けられている。この景品保持部１２は、景品誘導空間２２の上方を前後左右上下方向に移動する移動体部１６０を備えており、移動体部１６０には、移動体部１６０に対して回転可能に設けられ、柱状体が中央付近で内側に１２０度程の角度で屈曲された形状を有する第１動作部３６および第２動作部３７が連結されている。本実施形態では、第１動作部３６の回転軸と第２動作部３７の回転軸とが平行となるように、第１動作部３６と第２動作部３７とが移動体部１６０に連結されている。
【００９５】
そして移動体部１６０の内部には、図示しないが第１動作部３６を回転させるとともに第２動作部３７を回転させるモーター（動力部の一例）が設けられている。本実施形態ではモーターを駆動すると、第１動作部３６が移動体部１６０に対して時計回り（第１方向の一例）に回転する場合には、第２動作部３７は移動体部１６０に対して反時計回り（第２方向の一例）に回転し、第１動作部３６が移動体部１６０に対して反時計回りに回転する場合には、第２動作部３７は移動体部１６０に対して時計回りに回転するように構成されている。これにより第１動作部３６と第２動作部３７の開閉動作が行われる。
【００９６】
図１８（Ａ）、図１８（Ｂ）、図１８（Ｃ）、図１８（Ｄ）は、第１動作部３６の一部の拡大図である。図１８（Ａ）に示すように、第１動作部３６は、移動体部１６０のモーターに連結される第１アーム部１６２（第１受動部の一例）を備えている。そして本実施形態では、第１アーム部１６２の先端に取り付けられる金属製の板状部材により構成される第１ツメ部１６４（第１先端部の一例）が、他の種類のツメ部と交換可能となっており、第１アーム部１６２の先端には、第１ツメ部１６４が着脱可能に装着される第１装着部１６６が設けられている。この第１装着部１６６には、第１ツメ部１６４が装着される際に第１ツメ部１６４と接触する接触面１６８が形成されており、この接触面１６８からは第１突起部１７０が突起している。
【００９７】
この第１突起部１７０は、第１棒状部分１７２と、第１棒状部分１７２よりも断面積が大きい第１引掛部分１７４とを備えており、第１棒状部分１７２は、第１アーム部１６２の先端を貫通して接触面１６８の反対面からも突起している。そして第１突起部１７０は、第１棒状部分１７２の長手方向に沿って接触面１６８に対してスライド可能に設けられるとともに、第１アーム部１６２の先端内部に設けられた第１先端バネ１７６（先端付勢部の一例）により、第１引掛部分１７４が接触面１６８に近づく非突出状態となるように付勢されている。そして図１８（Ａ）に示すように、管理者等が第１棒状部分１７２のうち接触面１６８の反対面に突起している後端部分１７８を押すと、第１突起部１７０は、第１引掛部分１７４が接触面１６８から離れる突出状態となる。
【００９８】
また接触面１６８において第１突起部１７０よりも第１アーム部１６２の先端に近い位置からは、第２突起部１８０が突起している。この第２突起部１８０は第１突起部１７０と同様に、第２棒状部分１８２と、第２棒状部分１８２よりも断面積が大きい第２引掛部分１８４とを備えているが、接触面１６８に対して固定的に設けられている。そして第２突起部１８０は、接触面１６８と第２引掛部分１８４との間にできる空間が、第１ツメ部１６４の厚みを受け入れられるように設けられている。
【００９９】
図１８（Ｂ）は、第１ツメ部１６４の正面図である。図１８（Ｂ）に示すように、本実施形態の第１ツメ部１６４は、図中上方の後端部分から図中下方の先端部分に向かうにつれ横幅が広がり、先端部分は丸みを帯びた形状となっており、図中手前側に向かって屈曲している。そして第１ツメ部１６４の後端部分には第１貫通孔１８８が設けられている。この第１貫通孔１８８は、第１ツメ部１６４の後端から切れ込むように形成された第１受入領域１９０と、第１受入領域１９０よりも第１アーム部１６２の先端に近い位置に第１受入領域１９０から連続的するように円形に形成された第１規制領域１９２とを備えている。この第１受入領域１９０は、第１棒状部分１７２を図１８（Ａ）に示すように第１棒状部分１７２の長手方向に交差する方向から受け入れ可能に形成され、第１規制領域１９２は、第１棒状部分１７２を受け入れつつ第１引掛部分１７４が貫通不可能に形成されている。
【０１００】
そして、第１貫通孔１８８よりも第１ツメ部１６４の先端部分に近い位置には第２貫通孔１９４が設けられている。この第２貫通孔１９４は、第１規制領域１９２よりも大きな円形に形成された第２受入領域１９６と、第２受入領域１９６よりも第１アーム部１６２の先端に近い位置に第２受入領域１９６から連続的するように半円形に形成された第２規制領域１９８とを備えている。この第２受入領域１９６は、図１８（Ａ）に示すように第１受入領域１９０が第１棒状部分１７２を受け入れている状態で、図１８（Ｃ）に示すように第２引掛部分１８４を第２棒状部分１８２の長手方向から受け入れ可能に形成され、第２規制領域１９８は、図１８（Ｄ）に示すように第１ツメ部１６４が第１アーム部１６２の接触面１６８に沿って図中上方にスライドされることにより第１規制領域１９２が第１棒状部分１７２を受け入れている状態で、第２棒状部分１８２を受け入れつつ第２引掛部分１８４が貫通不可能に形成されている。
【０１０１】
従って、図１８（Ｄ）に示すように、第１規制領域１９２が第１棒状部分１７２を受け入れ、かつ第２規制領域１９８が第２棒状部分１８２を受け入れている状態で、第１突起部１７０の突出状態が解除されて第１突起部１７０が第１先端バネ１７６により非突出状態となると、第１ツメ部１６４は第１引掛部分１７４によって接触面１６８に押しつけられる。更に第１ツメ部１６４は、第２棒状部分１８２によって第１棒状部分１７２を回転軸とする回転が規制され、第２引掛部によって接触面１６８から離れる方向への移動が規制される。これにより本実施形態では、第１ツメ部１６４の装着状態が安定的に維持される。そして本実施形態では、管理者等が上述した装着手順と逆の手順を踏むことにより、第１ツメ部１６４を第１アーム部１６２から容易に取り外すことができる。こうして本実施形態では、第１ツメ部１６４を第１アーム部１６２に対して容易に着脱可能にしつつ、安定的に装着状態を維持することができる。
【０１０２】
図１９は、第１動作部３６の動作状態を示す図である。図１９に示すように、第１動作部３６が図中時計回り方向に回転することにより閉じる動作を行っている際に、第１景品載置部２６など景品獲得ゲーム装置１０において固定的に設けられているものに第１ツメ部１６４が接触することよって第１動作部３６の時計回り方向への回転が阻害される場合がある。このような場合には、第１動作部３６または第１景品載置部２６などに過度の負荷がかかり、第１動作部３６または第１景品載置部２６などが破損するおそれがある。
【０１０３】
しかし本実施形態では、上述したように、第１ツメ部１６４を装着状態に維持している第１突起部１７０が第１棒状部分１７２の長手方向に沿って第１アーム部１６２に対してスライド可能に設けられるので、図１９に示すように、第１動作部３６の時計回り方向への回転が阻害された場合には、第１突起部１７０が突出状態となることにより第１ツメ部１６４が第１アーム部１６２に対して図中反時計回り方向に回転する。これにより本実施形態では、第１動作部３６または第１景品載置部２６などに過度の負荷がかかることが回避される。
【０１０４】
そして第１突起部１７０は、第１アーム部１６２の先端内部に設けられた第１先端バネ１７６により、第１引掛部分１７４が接触面１６８に近づく非突出状態となるように付勢されているので、第１ツメ部１６４は第１突起部１７０によって第１アーム部１６２に対して時計回り方向に回転するように付勢される。従って本実施形態では、このような状態でも第１ツメ部１６４の装着状態が安定的に維持される。そして第１動作部３６の時計回り方向への回転が阻害されなくなると、第１ツメ部１６４は元の状態に復帰される。こうして本実施形態では、第１景品載置部２６など景品獲得ゲーム装置１０において固定的に設けられているものによって第１動作部３６の時計回り方向への回転が阻害された場合であっても、ゲーム装置の破損を防止することができる。
【０１０５】
そして、第１アーム部１６２の先端内部に設けられた第１先端バネ１７６は、第１ツメ部１６４に所定量以上の力が反時計回り方向に加わった場合に、第１ツメ部１６４が第１アーム部１６２に対して反時計回り方向に回転するような強度のものが用いられている。従って本実施形態では、第１ツメ部１６４が景品に接触する場合には、第１ツメ部１６４は、第１動作部３６の時計回り方向への回転により景品に対して時計回り方向への力を作用させることができる。
【０１０６】
そして本実施形態では、第２動作部３７は第１動作部３６と面対称となる構成を有しており、第２動作部３７も、第１動作部３６と同様に動作する。従って本実施形態では、第１動作部３６と第２動作部３７が閉じる動作を行うことにより、景品に対して時計回り方向と反時計回り方向への力を作用させつつ、第１景品載置部２６など景品獲得ゲーム装置１０において固定的に設けられているものによって、第１動作部３６の時計回り方向への回転または第２動作部３７の反時計回り方向への回転が阻害された場合であっても、ゲーム装置の破損が防止されるようにすることができる。
【０１０７】
６．その他の構成
次に、景品獲得ゲーム装置１０の背面の構成について説明する。
【０１０８】
図２０は、景品獲得ゲーム装置１０のゲーム空間２０を示す斜視図である。図２０に示すように、ゲーム空間２０の背面には、景品を載置することができる景品載置面を有する第５景品載置部２００を支持する第３支持部２０２と、景品を載置することができる景品載置面を有する第６景品載置部２０４を支持する第４支持部２０６とが設けられている。本実施形態では、この第５景品載置部２００と第６景品載置部２０４とは、景品保持部１２の移動範囲外に設けられており、この第５景品載置部２００と第６景品載置部２０４とには、プレーヤが獲得することができない展示用あるいはストック用の景品が載置される。従って第５景品載置部２００と第６景品載置部２０４とは、景品保持部１２の第１動作部３６と第２動作部３７とによって力が作用されることがないので、簡易な構成により第３支持部２０２および第４支持部２０６に支持されている。なお本実施形態の第５景品載置部２００および第６景品載置部２０４の横幅は、第１景品載置部２６および第２景品載置部２７の横幅の１０分の１程度に形成されている。従って第５景品載置部２００と第６景品載置部２０４に景品を載置すると、第１景品載置部２６および第２景品載置部２７に景品を載置する場合よりも、景品が大きく見えるようにすることができる。
【０１０９】
詳細には第５景品載置部２００は、図２０に示すように、矩形板状の透明な第２載置板２０８により構成されている。そして第３支持部２０２は、上下方向に長い柱状体により構成されており、その前面には、第５景品載置部２００を着脱可能に受け入れることにより第５景品載置部２００を支持することができる第１スリット２１０が設けられている。この第１スリット２１０は、水平方向に切り込まれており、第５景品載置部２００の景品載置面が上方を向いた状態で第５景品載置部２００を支持することができる。本実施形態では、第３支持部２０２の上下方向に沿った異なる位置に、複数の第１スリット２１０が設けられており、管理者が任意の数の第５景品載置部２００を、それぞれ任意の第１スリット２１０に挿入することができる。
【０１１０】
また第６景品載置部２０４は、図２０に示すように、矩形板状の透明な第３載置板２１２と、第３載置板２１２の後端から下方に直角に伸びる縦板２１４とにより構成されている。そして第４支持部２０６は、左右方向に長い柱状体により構成されており、その上面には、第６景品載置部２０４の縦板２１４を着脱可能に受け入れることにより第６景品載置部２０４を支持することができる第２スリット２１６が設けられている。この第２スリット２１６は、鉛直方向に切り込まれており、第６景品載置部２０４の景品載置面が上方を向いた状態で第６景品載置部２０４を支持することができる。本実施形態では、第４支持部２０６には、左右方向に沿って第６景品載置部２０４の横幅よりも広い第２スリット２１６が設けられており、管理者が任意の数の第６景品載置部２０４を、それぞれ任意の位置に挿入することができる。
【０１１１】
７．機能ブロック
図２１は、本実施形態の景品獲得ゲーム装置１０の機能を示すブロック図である。なお、図２１の構成要素（各部）の一部を省略した構成としてもよい。
【０１１２】
検出部３００は、図１に示した景品保持部１２の前後左右方向への移動量を検出するとともに、景品保持部１２が下方向に移動することにより景品や第１景品載置部２６などに接触したことを検出するものであり、各種センサにより実現できる。
【０１１３】
操作部３０２は、プレーヤから操作情報の入力を受付け、操作情報を処理部３５０に伝達するためのものであり、ボタンやレバーなどにより実現できる。
【０１１４】
設定部３０４は、管理者から設定情報の入力を受付け、設定情報を処理部３５０に伝達するためのものであり、ボタンやレバーなどにより実現できる。この設定情報としては、例えば、ゲーム空間２０のうち景品載置領域１６とされている領域を特定するための情報や、開口領域１８とされている領域を特定するための情報などが含まれる。本実施形態では、図１に示したゲーム空間２０をマトリクス状に横６列、縦４行の２４分割した各領域が、開口領域１８とされているか否かを特定するための情報が、設定情報として設定部３０４に入力される。
【０１１５】
動力部３０６は、処理部３５０からの制御信号に従って駆動されることにより、図１に示した景品保持部１２をゲーム空間２０の上方において前後左右上下方向に移動させるとともに、景品保持部１２の第１動作部３６および第２動作部３７を開閉させるものであり、各種モーターにより実現できる。
【０１１６】
記憶部３０８は、処理部３５０などのワーク領域となるものであり、その機能はＲＡＭなどのハードウェアにより実現できる。
【０１１７】
情報記憶媒体３１０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。この情報記憶媒体３１０には、処理部３５０において種々の処理を行うためのプログラムやデータが記憶されている。即ち、この情報記憶媒体３１０には、本実施形態の各部としてコンピュータを機能させるためのプログラム（各部の処理をコンピュータに実行させるためのプログラム）が記憶されている。
【０１１８】
処理部３５０（プロセッサ）は、検出部３００、操作部３０２、設定部３０４からのデータやプログラムなどに基づいて、ゲーム処理、表示制御処理、音生成処理などの処理を行う。この処理部３５０は、記憶部３０８をワーク領域として各種処理を行い、その機能は各種プロセッサ（ＣＰＵ、ＤＳＰ等）、各種集積回路（ＩＣ、ＡＳＩＣ）などのハードウェアや、プログラムにより実現できる。
【０１１９】
特に、本実施形態の処理部３５０は、ゲーム処理部３５２、移動・動作制御部３５４、設定変更部３５６を含む。なお、これらの一部を省略する構成としてもよい。
【０１２０】
ゲーム処理部３５２は、検出部３００、操作部３０２、設定部３０４からのデータやプログラムなどに基づいて、ゲーム開始条件が満たされた場合にゲームを開始する処理、ゲームを進行させる処理、或いはゲーム終了条件が満たされた場合にゲームを終了させる処理などの種々のゲーム処理を行う。
【０１２１】
移動・動作制御部３５４は、検出部３００、操作部３０２、設定部３０４からのデータやプログラムなどに基づいて、動力部３０６の駆動を制御することにより、景品保持部１２の移動・動作の制御を行う。特に移動・動作制御部３５４は、景品保持部１２に保持動作を行わせた後に、開口領域１８とされている領域を特定するための情報に基づいて、景品保持部１２を開口領域１８の上方の位置へ自動的に移動させる。そして移動・動作制御部３５４は、景品保持部１２が開口領域１８の上方の位置に到達すると、景品保持部１２に第１動作部３６および第２動作部３７を開く開放動作を行わせる。
【０１２２】
設定変更部３５６は、設定部３０４からのデータやプログラムなどに基づいて、各種情報の設定値を変更する。特に設定変更部３５６は、設定部３０４に入力された設定情報に基づいて、開口領域１８とされている領域を特定するための設定値を変更する。
【０１２３】
８．変形例
上記実施形態で説明した手法は、一例を示したに過ぎず、上記実施形態の手法と同様の効果を奏する均等な手法を採用した場合においても本発明の範囲に含めることができる。また本発明は、上記実施形態で説明したものに限らず、種々の変形実施が可能である。そして上記実施形態の手法や、変形例として後述する各種の手法は、本発明を実現する手法として適宜組み合わせて採用することができる。
【０１２４】
例えば上述した実施形態では、図２に示したように、景品誘導空間２２が、ゲーム空間２０のほぼ全面に対応した範囲で上部が矩形状に開口されている例を挙げて説明したが、景品誘導空間２２が開口されている範囲、形状は、種々の態様に変更することができる。
【０１２５】
また上述した実施形態では、図３に示したように、左操作子５８と右操作子６０とが接近状態と離隔状態との間で状態が変化する例を挙げて説明したが、１つの操作子が所定の軸回りに回転可能に設けられ、第１回転角度に回転している状態（第１状態の一例）と第２回転角度に回転している状態（第２状態の一例）との間で状態が変化するようにしてもよい。
【０１２６】
また上述した実施形態では、図５に示したように、第１景品載置部２６および第２景品載置部２７が前後方向にスライドする例を挙げて説明したが、第１景品載置部２６および第２景品載置部２７が前後方向ではなく横方向にスライドするようにしてもよい。また第１景品載置部２６のスライド方向と第２景品載置部２７のスライド方向が異なるようにしてもよい。
【０１２７】
また上述した実施形態では、図５に示したように、第１景品載置部２６および第２景品載置部２７のそれぞれが、２本の平行なレールによって前後方向にスライド可能に支持される例を挙げて説明したが、図２２に示すように、第１景品載置部２６または第２景品載置部２７が、景品誘導空間２２の上方または景品誘導空間２２の外周の上方に設けられた１本の円形のレール４００によって回転するようにスライド可能に支持されるようにしてもよい。
【０１２８】
また上述した実施形態では、図８に示したように、第１景品載置部２６が横方向の軸回りに回転可能に設けられるとともに、図１１に示したように、第１景品載置部２６が左右交互に昇降可能に設けられている例を挙げて説明したが、第２景品載置部２７を第１景品載置部２６と同様の構成とし、第２支持部３０を第１支持部２８と同様の構成とすることにより、第２景品載置部２７が横方向の軸回りに回転可能に設けられるとともに左右交互に昇降可能に設けられるようにしてもよく、第１景品載置部２６および第２景品載置部２７の双方が、横方向の軸回りに回転可能に設けられるとともに左右交互に昇降可能に設けられるようにしてもよい。
【０１２９】
また上述した実施形態では、図１１に示したように、第１支持部２８の左昇降部９０と右昇降部９２とが個別に昇降可能に設けられるとともに、第１支持部２８が第１景品載置部２６を前後方向にスライド可能に支持する例を挙げて説明したが、第１支持部２８が複数の景品載置部の配置を変更可能に支持するようにしてもよい。この場合には、第１支持部２８が支持する景品載置部の数、位置を変化させることにより、景品載置領域１６の態様を変化させることができる。また、第１支持部２８が異なる形状、大きさの景品載置部を支持するようにしてもよい。この場合には、第１支持部２８が支持する景品載置部の形状、大きさに応じて景品載置領域１６の態様を変化させることができる。
【０１３０】
また上述した実施形態では、図１０（Ａ）〜図１０（Ｃ）に示したように、第１支持部２８の左連結部１２０は第１左レール４２に対して連結され、右連結部１２４は第１右レール４４に対して連結されている例を挙げて説明したが、左連結部１２０が第１景品載置部２６の左端に対して第３軸１２６回りに回転可能に連結され、右連結部１２４が第１景品載置部２６の右端に対して第４軸１２８回りに回転可能に連結されるようにしてもよい。
【０１３１】
また上述した実施形態では、図１０（Ａ）〜図１０（Ｃ）に示したように、左連結部１２０が左昇降部９０に対して第１軸１１８回りに鉛直状態から反時計回り方向に回転することが規制され、右連結部１２４が右昇降部９２に対して第２軸１２２回りに鉛直状態から時計回り方向に回転することが規制されていることにより、左連結部１２０または右連結部１２４のいずれかが鉛直となる状態を維持しながら、左昇降部９０と右昇降部９２とが個別に昇降される例を挙げて説明したが、図２３（Ａ）〜（Ｃ）に示すように、左連結部１２０が、第１左レール４２（または景品維持部）に対して垂直状態となる位置（第３基準位置の一例）から第３軸１２６回りの時計回り方向への回転が許容されつつ、垂直状態から反時計回り方向への回転が規制されるように第１左レール４２に連結され、右連結部１２４が、第１右レール４４（または景品維持部）に対して垂直状態となる位置（第４基準位置の一例）から第４軸１２８回りの反時計回り方向への回転が許容されつつ、垂直状態から時計回り方向への回転が規制されるように第１右レール４４に連結されていることにより、左連結部１２０が第１左レール４２に対してまたは右連結部１２４が第１右レール４４に対して垂直状態を維持しながら、左昇降部９０と右昇降部９２とを個別に昇降させるようにしてもよい。この場合には、左連結部１２０と左昇降部９０、右連結部１２４と右昇降部９２の関係に関しては、左連結部１２０は、左連結部１２０が鉛直状態となる位置から第１軸１１８回りの時計回り方向および反時計回り方向への回転が許容されるように左昇降部９０に連結され、また右連結部１２４は、右連結部１２４が鉛直状態となる位置から第２軸１２２回りの時計回り方向および反時計回り方向への回転が許容されるように右昇降部９２に連結されるようにすればよい。
【０１３２】
また上述した実施形態では、図１２で示したように、第１景品載置部２６の第１本体部６８の前面に、複数の取付部１４４がスライド可能に配置された第１溝１４０が設けられている例を挙げて説明したが、第１景品載置部２６の第１本体部６８の前面に加え、または前面に代えて、第１本体部６８の背面や、景品載置面や、景品載置面の反対面となる底面の少なくとも１つに、複数の取付部１４４がスライド可能に配置される溝を設けるようにしてもよい。このようにすれば、第１景品載置部２６に対する第３景品載置部１３２の取り付け角度を変化させることができる。
【０１３３】
また上述した実施形態では、図１２で示したように、景品載置面を有する第３景品載置部１３２を、第１景品載置部２６や第２景品載置部２７に対してスライド可能かつ固定可能に取り付ける例を挙げて説明したが、図２４（Ａ）に示すように、棒状部材４０１の先端に球状体４０２が取り付けられた景品維持棒４０４（景品維持部の一例）を第１景品載置部２６や第２景品載置部２７に対してスライド可能かつ固定可能に取り付けるようにしてもよい。そしてこのような景品維持棒４０４の取り付け角度は、図２４（Ａ）に示すように、第１景品載置部２６や第２景品載置部２７の景品載置面に対して垂直（交差の一例）となるようにしてもよいし、図２４（Ｂ）に示すように、第１景品載置部２６や第２景品載置部２７の景品載置面に対して平行となるようにしてもよい。ここで景品維持棒４０４の球状体４０２は、表面がゴムやシリコンなどの摩擦抵抗が大きな素材で形成されているものが好ましい。これにより例えば、図２４（Ａ）に示すように、景品載置面に対して垂直となるように取り付けられた景品維持棒４０４の球状体４０２の上に、柔らかく変形しやすいぬいぐるみを載置することができる。また、図２４（Ｂ）に示すように、景品載置面に対して平行となるように取り付けられた景品維持棒４０４の球状体４０２に、リングを引っ掛けつつ、このリングに対して景品を吊すようにすることができる。
【０１３４】
すなわち上述した実施形態では、景品載置面を有する第１景品載置部２６や第２景品載置部２７が景品誘導空間２２の上方で景品を載置する例を挙げて説明したが、第１景品載置部２６や第２景品載置部２７に加えて、またはこれらに代えて、種々の形状の部材を景品維持部として採用することができる。例えば、景品誘導空間２２の上方を横断または縦断できる長さを有する棒状部材（景品維持部の一例）を、第１支持部２８および第２支持部３０によって景品誘導空間２２の上方に支持するようにしてもよい。そしてこのような種々の形状の部材を景品誘導空間２２の上方に横状体や起立状体で配置し、これに景品を引っ掛けたり、吊したり、挟んだりすることにより、景品を景品誘導空間２２の上方に維持することができる。
【０１３５】
また上述した実施形態では、図１９に示したように、第１突起部１７０がスライドすることにより、第１ツメ部１６４が第１アーム部１６２に対して着脱可能かつ第１動作部３６の回転方向とは反対方向に回転可能に設けられている例を挙げて説明したが、図２５（Ａ）、図２５（Ｂ）に示すように、第１ツメ部１６４と第１アーム部１６２とが先端回転軸４０６を介して連結されていることにより、第１ツメ部１６４が第１アーム部１６２に対して第１動作部３６の回転方向とは反対方向に回転可能に設けられているようにしてもよい。この場合には、図２５（Ａ）に示すように、第１ツメ部１６４と第１アーム部１６２との間に設けられた第２先端バネ４０８（先端付勢部の一例）によって、第１ツメ部１６４が第１ツメ部１６４の基準位置に復帰するように付勢してもよい。
【０１３６】
また上述した実施形態では、図２６（Ａ）に示すように、第１動作部３６と第２動作部３７とが移動体部１６０に対して回転するように取り付けられている例を挙げて説明したが、図２６（Ｂ）に示すように、第１動作部３６と第２動作部３７とが移動体部１６０に対して移動するように取り付けられているようにしてもよい。そしてこのような場合には、ツメ部４１０がアーム部４１２に対して、アーム部４１２の移動方向と反対方向に移動または回転するようにしてもよい。
【０１３７】
また上述した実施形態では、移動体部１６０に対して第１動作部３６および第２動作部３７が回転または移動する例を挙げて説明したが、１つの動作部が移動体部１６０に対して回転可能または移動可能に設けられているようにしてもよいし、３つ以上の動作部が移動体部１６０に対して回転可能または移動可能に設けられているようにしてもよい。
【０１３８】
また上述した実施形態では、移動体部１６０に対して第１動作部３６および第２動作部３７のそれぞれが、第１方向および第２方向に回転または移動する例を挙げて説明したが、動作部が移動体部１６０に対して一つの方向に回転するようにしてもよいし、移動体１６０の周囲を巡るように一つの方向に移動するようにしてもよい。
【０１３９】
また上述した実施形態では、景品保持部１２が、移動および動作を行う例を挙げて説明したが、景品保持部１２が、移動および動作の少なくとも一方を行うことにより、景品を移動させるようにしてもよい。
【符号の説明】
【０１４０】
１０  景品獲得ゲーム装置、１２  景品保持部、１４  透明板、１６  景品載置領域、
１８  開口領域、２０  ゲーム空間、２２  景品誘導空間、２４  景品取出口、
２６  第１景品載置部、２７  第２景品載置部、２８  第１支持部、３０  第２支持部、
３２  第１ボタン、３４  第２ボタン、３６  第１動作部、３７  第２動作部、
４０  車輪、４２  第１左レール、４４  第１右レール、４６  第２左レール、
４８  第２右レール、５０  第２本体部、５２  前左突出部、５４  前右突出部、
５６  中央バネ、５８  左操作子、６０  右操作子、６２  第２スライド操作部、
６４  左受入部、６６  右受入部、６８  第１本体部、７０  第１スライド操作部、
７２  左回転支持部、７４  右回転支持部、７６  接続面、７８  第１回転軸、
８０  後左突出部、８２  後右突出部、８４  回転操作部、８６  左基礎部、
８８  右基礎部、９０  左昇降部、９２  右昇降部、９４  前柱部、９６  後柱部、
９８  梁部、１００  前レール、１０２  後レール、１０４  ガススプリング、
１０６  ピストンロッド、１０８  シリンダー、１１０  リンク、１１２  水平突出部、
１１４  レバー部、１１６  水平受入部、１１８  第１軸、１２０  左連結部、
１２２  第２軸、１２４  右連結部、１２６  第３軸、１２８  第４軸、
１３０  第１後接続部、１３２  第３景品載置部、１３４  枠部、１３６  第１載置板、
１３８  枠ネジ穴、１４０  第１溝、１４２  取付ネジ穴、１４４  取付部、
１４６  ツマミネジ、１４８  第２溝、１５０  第４景品載置部、
１５２  第２前接続部、１５４  第３溝、１５６  第１前接続部、１５８  第４溝、
１６０  移動体部、１６２  第１アーム部、１６４  第１ツメ部、１６６  第１装着部、
１６８  接触面、１７０  第１突起部、１７２  第１棒状部分、１７４  第１引掛部分、
１７６  第１先端バネ、１７８  後端部分、１８０  第２突起部、
１８２  第２棒状部分、１８４  第２引掛部分、１８８  第１貫通孔、
１９０  第１受入領域、１９２  第１規制領域、１９４  第２貫通孔、
１９６  第２受入領域、１９８  第２規制領域、２００  第５景品載置部、
２０２  第３支持部、２０４  第６景品載置部、２０６  第４支持部、
２０８  第２載置板、２１０  第１スリット、２１２  第３載置板、２１４  縦板、
２１６  第２スリット、３００  検出部、３０２  操作部、３０４  設定部、
３０６  動力部、３０８  記憶部、３１０  情報記憶媒体、３５０  処理部、
３５２  ゲーム処理部、３５４  移動・動作制御部、３５６  設定変更部、
４００  レール、４０１  棒状部材、４０２  球状体、４０４  景品維持棒、
４０６  先端回転軸、４０８  第２先端バネ
【図１】
2010188005.tif 000003
【図２】
2010188005.tif 000004
【図３】
2010188005.tif 000005
【図４】
2010188005.tif 000006
【図５】
2010188005.tif 000007
【図６】
2010188005.tif 000008
【図７】
2010188005.tif 000009
【図８】
2010188005.tif 000010
【図９】
2010188005.tif 000011
【図１０】
2010188005.tif 000012
【図１１】
2010188005.tif 000013
【図１２】
2010188005.tif 000014
【図１３】
2010188005.tif 000015
【図１４】
2010188005.tif 000016
【図１５】
2010188005.tif 000017
【図１６】
2010188005.tif 000018
【図１７】
2010188005.tif 000019
【図１８】
2010188005.tif 000020
【図１９】
2010188005.tif 000021
【図２０】
2010188005.tif 000022
【図２１】
2010188005.tif 000023
【図２２】
2010188005.tif 000024
【図２３】
2010188005.tif 000025
【図２４】
2010188005.tif 000026
【図２５】
2010188005.tif 000027
【図２６】
2010188005.tif 000028